(57)【特許請求の範囲】
【請求項１】
カラオケ演奏データを再生して歌唱者に歌唱させる基本的機能を備えるカラオケ装置であって、
カラオケ演奏データを再生して第１チューニングでカラオケ演奏データを生成する再生手段と、
カラオケ利用者の歌唱音高範囲の測定用カラオケ演奏データを、前記第１チューニングに従って再生手段で再生させてカラオケ歌唱空間の周波数特性を測定する周波数特性測定手段と、
測定された前記カラオケ歌唱空間の周波数特性に、前記第１チューニングに従った音階の各音高の何れかと重なるディップ周波数が存在するか否かを判定する周波数特性判定手段と、
前記周波数特性判定手段の判定により前記カラオケ歌唱空間にディップ周波数が存在する場合に、前記再生手段に対し、前記第１チューニングとの差を５０セント以下とするチューニング量の第２チューニングを設定する再生制御手段と、
を有することを特徴とするカラオケ装置。
【請求項２】
請求項１記載のカラオケ装置であって、
前記周波数特性測定手段は、前記第１チューニングに従った音階の各音高の楽音を順次生成させるための前記測定用カラオケ演奏データを再生、放音させ、放音された楽音を集音して各音高の楽音の音量を基準音量と比較して前記カラオケ歌唱空間の周波数特性を取得し、
前記周波数特性判定手段は、前記カラオケ歌唱空間の周波数特性に基づいて、基準音量よりも所定値以上小さい音量の楽音の音高をディップ周波数と判定して特定することを特徴とするカラオケ装置。
【請求項３】
請求項１又は２記載のカラオケ装置であって、
所定の楽曲を予約登録して、順次演奏させる予約待ち行列を備え、
前記予約待ち行列に登録された楽曲のカラオケ演奏データに対して歌唱すべき音高を全て抽出し、前記カラオケ歌唱空間のディップ周波数と重なる音高を含む場合にのみ、前記再生制御手段に前記第２チューニングを設定させる楽曲判定手段を備えることを特徴とするカラオケ装置。
【発明の詳細な説明】
【技術分野】
【０００１】
本発明は、カラオケ演奏データを再生して歌唱者に歌唱させる基本的機能を備えるカラオケ装置に関する。
【背景技術】
【０００２】
近年、カラオケ装置の高性能化に伴い、高度な採点技術を搭載したものも一般化し、一方で、カラオケルームが各地で多々開設されており、各カラオケルームなどのカラオケ歌唱空間は内部形状、カラオケ装置の設置位置、内装品によって固有の音響特性（周波数特性）を有し、特に歌唱者の位置においてディップ周波数と重なる歌唱音高があると、歌唱者にマイクロホンの吸い込みが悪いという印象を与えてしまうことから、歌唱音域におけるディップ周波数を測定し、ディップ周波数と重なる音高があれば、その音高の歌唱音声信号を補正することが望ましい。
【０００３】
従来、カラオケルームなどのカラオケ歌唱空間は、必ず特有の周波数特性（音響特性）を有するものであることから、測定された周波数特性を元に、所望の周波数特性が得られるよう音声信号を補正して放音する技術が、数多く開示されている。
【０００４】
例えば、特許文献１に記載されているように、特性測定部により測定された周波数特性の大きなうねりについてはシェルビングフィルタなどによる概略補正イコライザで音声信号を補正し、その後に残ったピークやディップについては複数段のパラメトリック・イコライザによる詳細補正イコライザで音声信号を補正してから放音するというものであり、そして、概略補正イコライザ及び詳細補正イコライザが現状のカラオケ装置が一般的に備えるトーンコントローラを利用するような構成とし、リソースを有効活用して、うねり及びピークディップのある現状音響特性を所望音響特性に略一致させる補正を行うというものである。
【先行技術文献】
【特許文献】
【０００５】
【特許文献１】特開２００８−２６８２５７号公報
【発明の概要】
【発明が解決しようとする課題】
【０００６】
ところで、楽曲を通して歌唱者が歌唱すべき音高の種類（音階）はそれほど多くなく、例えば、Ｃ４からＣ６までの２オクターブの音域には２５種類の音高が含まれるが、実際に歌唱する音高はその一部である。歌唱者が歌唱位置で感じるマイクロホンの吸い込みの悪さは、たまたま、それら音高のうちの１つもしくは幾つかが、そのカラオケルームの周波数特性のディップ周波数と一致してしまうことにより生じるものである。
【０００７】
しかしながら、上記特許文献１をはじめとする従来技術においては、対象とするカラオケ歌唱空間の周波数特性全体を所望のものに近づけるため、可聴周波数のほぼ全域に渡って周波数特性を測定し、音声信号を補正しようとするものであり、リソースの効率利用を図ろうとしているものの、歌唱者にとって特定の音高でのマイクロホンの吸い込みの悪さを解決する手段としては非効率的で、費用対効果も良くないという問題がある。
【０００８】
そこで、本発明は上記課題に鑑みなされたもので、イコライザなどのリソースを必要とすることなく、マイクロホンの吸い込みが悪いという印象を解消するカラオケ装置を提供することを目的とする。
【課題を解決するための手段】
【０００９】
上記課題を解決するために、請求項１の発明では、カラオケ演奏データを再生して歌唱者に歌唱させる基本的機能を備えるカラオケ装置であって、カラオケ演奏データを再生して第１チューニングでカラオケ演奏データを生成する再生手段と、カラオケ利用者の歌唱音高範囲の測定用カラオケ演奏データを、前記第１チューニングに従って再生手段で再生させてカラオケ歌唱空間の周波数特性を測定する周波数特性測定手段と、測定された前記カラオケ歌唱空間の周波数特性に、前記第１チューニングに従った音階の各音高の何れかと重なるディップ周波数が存在するか否かを判定する周波数特性判定手段と、前記周波数特性判定手段の判定により前記カラオケ歌唱空間にディップ周波数が存在する場合に、前記再生手段に対し、前記第１チューニングとの差を５０セント以下とするチューニング量の第２チューニングを設定する再生制御手段と、を有する構成とする。
【００１０】
請求項２、３の発明では、「前記周波数特性測定手段は、前記第１チューニングに従った音階の各音高の楽音を順次生成させるための前記測定用カラオケ演奏データを再生、放音させ、放音された楽音を集音して各音高の楽音の音量を基準音量と比較して前記カラオケ歌唱空間の周波数特性を取得し、前記周波数特性判定手段は、前記カラオケ歌唱空間の周波数特性に基づいて、基準音量よりも所定値以上小さい音量の楽音の音高をディップ周波数と判定して特定する」構成とし、
「所定の楽曲を予約登録して、順次演奏させる予約待ち行列を備え、前記予約待ち行列に登録された楽曲のカラオケ演奏データに対して歌唱すべき音高を全て抽出し、前記カラオケ歌唱空間のディップ周波数と重なる音高を含む場合にのみ、前記再生制御手段に前記第２チューニングを設定させる楽曲判定手段を含む」構成とする。
【発明の効果】
【００１１】
本発明によれば、カラオケ利用者の歌唱音高範囲の測定用カラオケ演奏データを、第１チューニングに従って再生手段で再生させてカラオケ歌唱空間の周波数特性を測定し、測定された周波数特性に、第１チューニングに従った音階の各音高の何れかと重なるディップ周波数が存在するか否かを判定し、判定によりディップ周波数が存在する場合に、再生手段に対し、第１チューニングとの差を５０セント以下とするチューニング量の第２チューニングを設定する構成とすることにより、５０セントまでのチューニング変更であれば、歌唱すべき音高がディップ周波数と重ならないようにすることができることから、イコライザなどのリソースを必要とすることなく、マイクの吸い込みが悪いという印象を解消することができるものである。
【図面の簡単な説明】
【００１２】
【図１】本発明に係るカラオケ装置のブロック構成図である。
【図２】図１の測定用データの説明図である。
【図３】図１の周波数特性測定から特定チューニングに関するフローチャートである。
【図４】図３の周波数特性測定の説明図である。
【図５】音高と周波数の関係説明図である。
【図６】本発明に係るカラオケ装置における他の実施形態の一部ブロック図である。
【図７】図６の楽曲判定処理のフローチャートである。
【発明を実施するための形態】
【００１３】
以下、本発明の実施形態を図により説明する。
図１に本発明に係るカラオケ装置のブロック構成図を示すとともに、図２に図１の測定用データの説明図を示す。図１において、各カラオケ装置１１は、主要装置としてのカラオケ本体１２に、有線又は無線で外部接続されるものとして、表示部１３、ミキシングアンプ１４、集音手段であるマイクロホン１５、スピーカ１６、遠隔入出力装置１７が接続される。ミキシングアンプ１４及びスピーカ１６で放音手段が構成される。
【００１４】
上記表示部１３は、通常の楽曲選曲表示やカラオケ演奏時の背景映像等を表示するもので、例えば液晶ディスプレイ（ＬＣＤ）、プラズマディスプレイ（ＰＤＰ）、その他種々のディスプレイを採用することができる。上記ミキシングアンプ１４は、カラオケ本体１２より送られてくる音楽演奏信号（測定用カラオケ演奏データを含む）に、マイクロホン１５で集音された信号を設定されたミキシングレベルでミキシングし、増幅してスピーカ１６より出力する。
【００１５】
ここでは、ミキシングアンプ１４は、いわゆるデジタルミキサであり、ミキシング処理、イコライジング処理、エフェクト処理を行うＤＳＰ（Ｄｉｇｉｔａｌ  Ｓｉｇｎａｌ  Ｐｒｏｃｅｓｓｏｒ）を備え、スピーカ１６のライン系統にはＤ／Ａ変換部、増幅部が設けられ、マイクロホン１５のライン系統にはＡ／Ｄ変換部が設けられる。当該Ａ／Ｄ変換部からの出力はＤＳＰの入力用バスに入力されると共に、カラオケ本体１２の採点手段２８に入力されるものである。
【００１６】
なお、ミキシングアンプ１４においては、後述するカラオケ本体１２のモード切替手段３１において周波数特性測定モードの場合には、マイクロホン１５が集音した周波数特性測定用音響信号のミキシングレベルはゼロに設定される。マイクロホン１５が集音した周波数特性測定用音響信号が放音されると当該音響信号がフィードバックされることとなって正確な周波数特性を測定することができないためである。
【００１７】
上記遠隔入出力装置１７は、図示しない端末送受信部により、カラオケ本体１２に対して有線方式ないし無線方式（ＩＲ方式やブルートゥース（登録商標）機構のピコネット接続方式など）を利用してデータ授受を行うためのもので、少なくとも楽曲検索手段である選曲楽曲登録手段１７Ａを適宜備える。当該選曲楽曲登録手段１７Ａは、楽曲を検索させ、選曲させるテーブルを備えて選曲された楽曲をカラオケ本体１２における予約待ち行列４１に登録するプログラムである。
【００１８】
上記カラオケ本体１２は、バス２０、中央制御部２１、ＲＯＭ２２、ＲＡＭ２３、映像表示制御手段２４、音楽演奏制御部２５、音源（シンセサイザ）２６、送受信部２７、採点手段２８、記憶部３０、モード切替手段３１、周波数特性判定手段３２及び再生制御手段３３を適宜備える。上記ＲＡＭ２３には少なくとも予約待ち行列４１が適宜形成される。また、記憶部３０には、楽曲データベース（楽曲ＤＢ）５１、映像データベース（映像ＤＢ）５２及びリファレンスデータベース（リファレンスＤＢ）５３が記憶される。なお、上記各構成について、本発明の要旨と直接関連しない要素部分であっても、従前のカラオケシステムにおいても大部分が適用可能であることを示すために、構成要素の全体を説明する。
【００１９】
上記中央制御部２１は、このシステムを統括的に処理制御する物理的なＣＰＵであり、ＲＯＭ２２に記憶されているプログラムに基づくアルゴリズム処理を行う。上記ＲＡＭ２３は、少なくとも予約待ち行列４１の記憶領域が形成される他に、上記種々のプログラムを展開、実行させるための作業領域としての役割をなすもので、例えば半導体メモリで構成され、仮想的にハードディスク上に構築される場合をも含む概念である。
【００２０】
上記映像表示制御手段２４は、演奏時に、映像ＤＢ５２より抽出された背景映像及び楽曲ＤＢ５１より抽出された楽曲の歌詞データを表示部１３に出力するプログラム乃至電子回路である。上記音楽演奏制御部２５は、例えばシーケンスプログラムを備え、楽曲ＩＤで楽曲ＤＢ５１より抽出された音符データに従って音源（シンセサイザ）２６を駆動するもので、当該音源２６の出力は演奏信号としてミキシングアンプ１４に出力される。当該音楽演奏制御部２５及び音源２６により再生手段を構成する。
【００２１】
なお、音楽演奏制御部２５は、所定のチューニングに従って楽音を生成するよう音源２６を制御する機能を備え、当該音楽演奏制御部２５がカラオケ演奏データの元データ（後述の楽曲ＤＢ５１に格納されている状態）を再生すると、音源２６は第１チューニングとしての初期チューニング（例えば、Ａ４を４４０Ｈｚ）に従って楽音を生成する。なお、初期チューニングを他のチューニング値（第２チューニング）に変更するには、音源２６が音楽演奏制御部２５からのメッセージに従って初期チューニングの設定を変更するものであり、従前より知られている手法である。
【００２２】
上記送受信部２７は、遠隔入出力装置１７との間で有線方式ないし無線方式（ＩＲ方式やブルートゥース（登録商標）機構のピコネット接続方式など）を利用してデータ授受を行うためのもので、そのための電子回路及びプログラムである。
【００２３】
上記採点手段２８は、歌唱者による歌唱に対する採点処理するためのプログラムであり、ここでは、後述の図２（Ａ）に示すような測定用カラオケ演奏データを歌唱のためのカラオケ演奏データと同じデータ種（後述のＭＩＤＩ（登録商標）形式の音符データ）とすることで、カラオケ歌唱空間の音響特性の測定用として機能させることができるものである。すなわち、採点手段２８が周波数特性測定手段をも構成することとなる。なお、採点手段２８に代えて、測定モード用として新たな測定用採点手段を設けてもよい。
【００２４】
具体的には、音楽演奏制御部２５の制御により上記初期チューニングされて放音され、マイクロホン１５で集音した音響信号（周波数特性測定用音響信号）に対して、所定の採点区間（例えば１５ｍｓｅｃ）毎にピッチ及び音量を検出し、後述の対応するリファレンスデータの各音高の音量と比較することにより採点処理を行う。より具体的には、例えば特許第４２２２９１５号公報に記載されている手法を用いることができる。採点結果は、音高（周波数）に対応したものとなり、周波数特性を測定したものと同義となる。
【００２５】
ところで、カラオケ歌唱空間の周波数特性の測定用音響信号として、上記ＭＩＤＩ形式の音符データではなく、オーディオ信号を用い、当該オーディオ信号を再生する再生手段を設け、初期チューニングして放音させることもできる。測定用音響信号としての当該オーディオ信号は、一般的なカラオケ利用者の歌唱範囲、すなわち、カラオケ楽曲で歌唱される男声及び女声の声域に含まれる音階の周波数の範囲で周波数１３０．８Ｈｚ（Ｃ３に相当）から１０４６．５Ｈｚ（Ｃ６に相当）に向かってスイープされたサイン波で構成させる。
【００２６】
この採点処理は従前の技術を適用することができ、マイクロホン１５より集音したオーディオ信号としての周波数特性測定用音響信号に対し、所定の採点区間毎に、当該周波数特性測定用音響信号のピッチ及び音量を検出して対応の周波数特性測定用リファレンスデータの各音量と比較することにより採点処理させればよい。
【００２７】
上記記憶部３０に記憶されている楽曲ＤＢ５１は、楽曲毎に、音符データ、歌詞データなどを格納する。演奏に関して、具体的には、楽曲ＩＤ、曲名及びアーチストＩＤ（アーチスト名）が関連付けられた楽曲テーブルを有し、楽曲毎に、楽曲ＩＤで管理される所定データ形式のカラオケ楽曲の音符データ（例えば、ＭＩＤＩ形式の音符データ）等で構成される楽曲データ（ファイル）について当該楽曲ＩＤをファイル名としてそれぞれ格納したデータベースである。
【００２８】
また、楽曲ＤＢ５１には、測定用カラオケ演奏データ（楽曲Ａとする）をも格納される。当該測定用カラオケ演奏データ（楽曲Ａ）は、例えば図２（Ａ）に示すような、一般的なカラオケ利用者の歌唱範囲、すなわち、カラオケ楽曲で歌唱される男声及び女声の声域に含まれる音階の楽音で、例えばピアノ鍵盤のＣ３からＣ６までの半音毎のノート情報３７個を含ませた演奏データである。再生に際しては、９．２５ｓｅｃかけて３７個の各音高の楽音を、１音符１２０のテンポとして各ノートを八分音符で、かつ一定音量で鳴らすものとしている。なお、使用する音色はサイン波に近い（高調波成分の小さい）音色で減衰しない（減衰が遅い）ものがよい。
【００２９】
上記記憶部３０に記憶されている映像ＤＢ５２は、楽曲毎に応じた背景映像データについて楽曲ＩＤをファイル名としてそれぞれ格納したデータベースである。
【００３０】
上記記憶部３０に記憶されているリファレンスＤＢ５３は、上記楽曲ＤＢ５１に記憶されているカラオケ楽曲と当該カラオケ楽曲の十分に小さな歌唱区間（例えば１５ｍｓｅｃ）に合わせた歌唱者による歌唱を評価、分析するための評価基準として用いられるリファレンスデータとを紐付けて記憶するデータベースである。当該リファレンスデータには、楽曲毎に、少なくともノート番号とベロシティ（大きさ）に応じて歌唱すべきピッチ（音高）が含まれる。なお、ＭＩＤＩ機器においては、ピアノの鍵盤（８８鍵）の中央の「ド」を「Ｃ４（２６１．６Ｈｚ）」として、最高音の鍵盤「ド」を「Ｃ８（４１８６Ｈｚ）」、最低音の鍵盤「ラ」を「Ａ０（２７．５Ｈｚ）」と表す。
【００３１】
また、リファレンスＤＢ５３には、楽曲Ａに紐付けされた周波数特性測定用リファレンスデータが格納される。当該周波数特性測定用リファレンスデータは、例えば図２（Ｂ）に示すような、上記測定用カラオケ演奏データ（楽曲Ａ）に対応して、各音高の変化に合わせたリファレンスピッチと所定の基準音量（一定値）のリファレンス音量（Ｌｒ）を持ったリファレンスデータである。なお、楽曲Ａ（３７個のノートで構成された９．２５秒の測定用カラオケ演奏データ）に対して１５ｍｓｅｃの採点区間とすると、約６１７区間の採点処理となる。
【００３２】
上記モード切替手段３１は、ミキシングアンプ１４に対して、利用者が歌唱する歌唱モードとカラオケ歌唱空間の周波数特性を測定するための測定モードとを切り替えるコマンドを発生させるプログラムであり、例えば歌唱モードをデフォルト状態とする。なお、モード切り替え操作は、例えば遠隔入出力装置１７（例えばメンテナンス表示など）よりカラオケ本体１２に測定モード切り替えコマンドを出力させる。
【００３３】
上記周波数特性判定手段３２は、上記採点手段２８で採点されることで測定されたカラオケ歌唱空間の周波数特性に、上記初期チューニング（第１チューニング）に従った音階の各音高（Ｃ３〜Ｃ６）の何れかと重なるディップ周波数が存在するか否かを判定するプログラムである。すなわち、集音された楽音の音量が基準音量（リファレンスデータ）より所定値以上小さい場合には、その音高がディップ周波数に相当するという思想に基づく。
【００３４】
具体的には、採点結果に基づき、音量比較において所定値α以上音量の小さい採点区間Ｓｄが存するか否かを判定し、存在する場合に、音量比較において所定値α以上音量が小さい採点区間Ｓｄのピッチをディップ周波数Ｆｄとして特定する。
【００３５】
上記再生制御手段３３は、周波数特性判定手段３２の判定によりカラオケ歌唱空間にディップ周波数が存在する場合に、再生手段を構成する音楽演奏制御部２５に対し、初期チューニング（第１チューニング）との差を５０セント以下とするチューニング量の特定チューニング（第２チューニング）を設定するプログラムである。例えば、初期チューニングにおいてＡ４を４４０Ｈｚとしている場合に、Ａ４を最大４２７．４８Ｈｚに下げる（又は、Ａ４を最大４５２．８９Ｈｚに上げる）べく設定する。
【００３６】
この場合、周波数特性判定手段３２において、ディップ周波数に相当する音高を連続的に変更してディップの幅（例えば、最大ディップの音高の前後の音高との音量差）を測定することにより、第２チューニングのチューニング変更量を小さくすることができる。
【００３７】
そこで、図３に図１の周波数特性測定から特定チューニングに関するフローチャートを示すと共に、図４に図３の周波数特性測定の説明図を示し、図５に音高と周波数の関係説明図を示す。まず、カラオケ装置１１が立ち上がる。この時のチューニングは初期チューニング（Ａ４を４４０Ｈｚにチューニング）である。そして、カラオケ歌唱空間の周波数特性を得るための測定モードを設定すると共に、遠隔入出力装置１７を用いて測定用カラオケ演奏データの楽曲Ａを予約登録すると、モード切替手段３１がミキシングアンプ１４を測定モードに設定し、ＲＡＭ２３の予約待ち行列４１に楽曲Ａが予約登録される。なお、マイクロホン１５の位置はカラオケ歌唱空間の歌唱位置とする。これによって、カラオケ歌唱空間の周波数特性をカラオケ歌唱に反映させることができるものである。
【００３８】
図３において、音楽演奏制御部２５が予約待ち行例４１の登録に応じて記憶部３０の楽曲ＤＢ５１より図２（Ａ）に示すＭＩＤＩデータとしての測定用カラオケ演奏データ（楽曲Ａ）を読み出し、音源２６に対して初期チューニングに従った１音ずつの音響信号としてミキシングアンプ１４に送出させることで、スピーカ１６より放音する（ステップ１（Ｓ１））。
【００３９】
測定用カラオケ演奏データ（楽曲Ａ）を再生することでスピーカ１６より放音された測定用音響信号をマイクロホン１５が集音する。集音された測定用音響信号はミキシングアンプ１４に入力され、Ａ／Ｄ変換されてカラオケ本体１２の採点手段２８に送出され、ミキシングアンプ１４でのミキシング処理では測定モードによって当該測定音響信号はミキシングレベルをゼロに制御される。すなわち、当該測定音響信号はミキシングアンプ１４をスルーし、Ａ／Ｄ変換され採点手段２８に入力されることになる（Ｓ２）。
【００４０】
採点手段２８では、Ａ／Ｄ変換された周波数特性測定用音響信号を取得すると共に、リファレンスＤＢ５３より当該楽曲Ａの周波数特性測定用リファレンスデータを読み出し、採点区間（例えば１５ｍｓｅｃ）毎に、当該周波数特性測定用音響信号のピッチ及び音量を検出して対応の周波数特性測定用リファレンスデータの各音高の音量と比較して採点処理する（Ｓ３）。採点結果は、例えば図４に示される。
【００４１】
周波数特性判定手段３２では、採点手段２８より採点結果を取得し、採点結果及びピッチ（音高）検出結果に基づき、図４に示すように、当該周波数特性測定用音響信号の音量を周波数特性測定用リファレンスデータＬｒと比較して所定値α以上小さい採点区間Ｓｄが存在するか否かを判定する（Ｓ４）。存在しなければ終了し（Ｓ５）、特定チューニングは行われず、初期チューニングでの歌唱楽曲の再生となる。
【００４２】
当該周波数特性測定用音響信号の音量が周波数特性測定用リファレンスデータＬｒと比較して所定値α以上の小さい採点区間Ｓｄが存在すると（Ｓ５）、当該採点区間Ｓｄに対応する音高ノートＮｄの周波数をディップ周波数Ｆｄと特定する（Ｓ６）。なお、各音高と周波数（Ｈｚ）の関係は、図５に示すように楽音生成手段（シンセサイザ）の初期チューニング（Ａ４＝４４０Ｈｚ）で一意的に決まるものである。なお、ディップ周波数Ｆｄを特定する際のαの値としては、例えば１２ｄＢの音量レベル差に相当する数値を設定すればよい。
【００４３】
そして、周波数特性判定手段３２で特定されたディップ周波数（Ｆｄ）を再生制御手段３３が取得し、音楽演奏制御部２５に対して、以降、楽曲の演奏に際して、再生制御手段が音楽演奏制御部に対して演奏全体で初期チューニングとの差を５０セント以下としたチューニング量で下げるべく（あるいは上げるべく）設定するものである（Ｓ７）。なお、周波数特性の測定はカラオケ歌唱空間（カラオケルーム）毎に一度でよいが、定期的に測定し直してもよい。そして、周波数特性判定手段３２によりディップ周波数Ｆｄが特定されたか否かの情報を記憶部３０の所定の領域（図示しない）に記憶し、以降はこの情報に基づいたチューニングに従ってカラオケ演奏を行う。
【００４４】
すなわち、一般的なカラオケ利用者の歌唱音域でカラオケルーム（カラオケ歌唱空間）の周波数特性を測定し、歌唱音域に含まれる音階のいずれかの音高と重なるディップ周波数Ｆｄが存在する場合には、カラオケ演奏全体のチューニングを５０セントだけずらして、各音高がディップ周波数Ｆｄと重ならないようにするもので、通常のディップ幅であれば、５０セントのチューニング変更により、歌唱すべき音高がディップ周波数Ｆｄと重ならないようにすることができ、イコライザなどのリソースを必要とすることなく、マイクの吸い込みが悪いという印象を解消することができるものである。なお、カラオケ装置に備わる音楽演奏制御部２５や採点手段２８の機能を利用することにより、テスト音源や測定部などのハードウェアを追加することなく、必要な音域で必要な音高のみ離散的に周波数特性を測定することができるものである。
【００４５】
次に、図６に本発明に係るカラオケ装置における他の実施形態の一部ブロック図を示すと共に、図７に図６の楽曲判定処理のフローチャートを示す。図６において、図１のカラオケ装置１１において、記憶部３０にディップ周波数（Ｆｄ）を記憶する領域５４を設け、バス２０に楽曲判定手段３４を設けた構成としている。
【００４６】
記憶部３０のディップ周波数（Ｆｄ）記憶領域５４には、上記周波数特性判定手段３２で特定したディップ周波数（Ｆｄ）が記憶され、楽曲判定手段３４がこれを用いて特定チューニングする楽曲を特定する。上記楽曲判定手段３４は、予約待ち行列４１に登録された楽曲のカラオケ演奏データに対して歌唱すべき音高を総て抽出し、カラオケ歌唱空間のディップ周波数Ｆｄと重なる音高を含む場合にのみ、再生制御手段３３に対して特定チューニング（第２チューニング）を設定させるプログラムであり、周波数特性判定手段３２及び再生制御手段３３は上記同様である。
【００４７】
そこで、図７において、楽曲判定手段３４が、予約待ち行列４１に所定楽曲が予約登録される度に、当該楽曲のカラオケ演奏データを楽曲ＤＢ５１より読み出して歌唱すべき総ての音高を抽出し、当該カラオケ演奏データに含まれる各音高の周波数が、特定されて記憶されたディップ周波数Ｆｄを含むか否かを判定する（Ｓ１１）。なお、カラオケ演奏データに含まれる歌唱すべき音高を抽出するには、カラオケ演奏データに通常含まれる歌唱ガイドメロディデータを参照すればよい。あるいはリファレンスＤＢ５３に記憶されている当該カラオケ演奏データに対応するリファレンスデータを読み出してリファレンスピッチを参照することもできる。
【００４８】
当該楽曲にディップ周波数Ｆｄを含む音高が存在する場合には（Ｓ１２）、予約待ち行列４１に登録されている当該楽曲に対し、演奏全体を特定チューニングすることのフラグを付帯させる（Ｓ１３）。当該楽曲が順番で演奏される際には、再生制御手段３３が音楽演奏制御部２５に対して上述のチューニング量で特定チューニングを設定するものである。
【００４９】
また、当該楽曲の各音高に特定されたディップ周波数Ｆｄを含まない場合には（Ｓ１２）、上記フラグは付されず、当該楽曲が演奏される際には特定チューニングは行われずに、初期チューニングされた状態で音楽演奏制御部２５が再生処理を行うものである。
【００５０】
すなわち、周波数特性判定手段３２によりディップ周波数Ｆｄが有ると判定された場合であっても、演奏対象の楽曲ごとに特定チューニング（第２チューニング）を行うか否かを判定することで、無駄な特定チューニングを回避することができるものである。なお、利用者によりキーコントロールつまり楽曲全体の半音単位での移調が設定されている場合には、当該移調量を加味した上で歌唱すべき音高を抽出することが望ましい。
【産業上の利用可能性】
【００５１】
本発明のカラオケ装置は、カラオケの採点機能を含む基本的機能を備えるカラオケ装置の産業分野に利用可能である。
【符号の説明】
【００５２】
１１            カラオケ装置
１２            カラオケ本体
１４            ミキシングアンプ
１５            マイクロホン
１６            スピーカ
２５            音楽演奏制御部
２８            採点手段
３０            記憶部
３１            モード切替手段
３２            周波数特性判定手段
３３            再生制御手段
３４            楽曲判定手段
４１            予約待ち行列
５１            楽曲ＤＢ
５３            リファレンスＤＢ
【図１】
0006315469.tif 000002
【図２】
0006315469.tif 000003
【図３】
0006315469.tif 000004
【図４】
0006315469.tif 000005
【図５】
0006315469.tif 000006
【図６】
0006315469.tif 000007
【図７】
0006315469.tif 000008